(57)【要約】【課題】ネットワーク通信により取得される情報を視聴者が見やすいように表示する。【解決手段】テレビ本体部１０では、放送信号からＥＰＧ情報を含むマルチメディア情報が取得されると、そのデータがメモリに格納される。また、放送信号からＵＲＬ情報が取得された場合にはネットワーク通信部を介して当該ＵＲＬにより指定されたＷｅｂサイトへアクセスしてＷｅｂページが取得され、そのデータがメモリに格納される。さらに、一定時間毎にメールサーバにアクセスして新着メールの確認が行われ、新着メールが有ればネットワーク通信部を介して新着メールが取得されそのデータがメモリに格納される。そして、リモコン５０からの指示に応じてＥＰＧ情報、電子メール、Ｗｅｂページのテキストデータがリモコン５０に送信され、リモコン５０の表示ディスプレイｄ２に表示される。【選択図】図１
2005198080.tif 000002
【特許請求の範囲】
【請求項１】
デジタル放送の放送信号を受信し、当該受信された放送信号に基づいて映像及び音声を再生するテレビ本体部と、前記テレビ本体部をリモート操作するためのリモート操作部とから構成されるデジタル放送受信装置において、
前記テレビ本体部は、
ネットワーク通信を行って情報を取得するネットワーク通信手段と、
前記リモート操作部と情報を送受信するリモート通信手段と、
前記ネットワーク通信手段により取得された情報を前記リモート通信手段を介してリモート操作部に送信させ、当該情報を前記リモート操作部が備える表示手段に表示させる制御手段と、を備え、
前記リモート操作部は、
前記テレビ本体部と情報を送受信するリモート通信手段と、
前記リモート通信手段を介してテレビ本体部から受信された情報を表示する表示手段と、を備えることを特徴とするデジタル放送受信装置。
【請求項２】
前記テレビ本体部において、
前記ネットワーク通信手段により取得される情報は、電子メール情報であり、
前記制御手段は、前記取得された電子メールのテキストデータを前記リモート通信手段を介して前記リモート操作部に送信させ、当該リモート操作部の表示手段に表示させることを特徴とする請求項１に記載のデジタル放送受信装置。
【請求項３】
前記テレビ本体部において、
映像を表示する表示手段と、
音声を出力する音出力手段と、を備え、
前記制御手段は、前記ネットワーク通信手段により取得された電子メールに画像ファイル又は音ファイルが添付されていた場合、指示に応じて当該画像ファイルの画像データを前記表示手段により表示させる、或いは音ファイルの音データを前記音出力手段により出力させることを特徴とする請求項２に記載のデジタル放送受信装置。
【請求項４】
前記テレビ本体部において、
前記ネットワーク通信手段により取得される情報は、ウェブページ情報であり、
前記制御手段は、前記取得されたウェブページのテキストデータを前記リモート通信手段を介して前記リモート操作部に送信させ、当該リモート操作部の表示手段に表示させることを特徴とする請求項１に記載のデジタル放送受信装置。
【請求項５】
前記テレビ本体部において、
映像を表示する表示手段と、
音声を出力する音出力手段と、を備え、
前記制御手段は、指示に応じて前記ウェブページに含まれる画像ファイルの画像データを前記表示手段に表示させる、或いは音ファイルの音データを前記音出力手段により出力させることを特徴とする請求項４に記載のデジタル放送受信装置。
【発明の詳細な説明】
【技術分野】
【０００１】
本発明は、デジタル放送の放送信号を受信し、当該放送信号に基づいて映像及び音声の再生を行うデジタル放送受信装置に関する。
【背景技術】
【０００２】
近年、テレビ放送においては、地上波のアナログ放送に代えて通信衛星（ＣＳ；Communications Satellite）や放送衛星（ＢＳ；Broadcast Satellite）を介してデジタル信号を伝送するデジタル放送や、地上波のデジタル放送等が展開されている。
【０００３】
デジタル放送では、ＭＰＥＧ（Moving Picture Experts Group）の圧縮符号化技術により、データの多重化が可能となり、従来のアナログ放送で使用されていたものと同じ電波帯域で複数の番組の映像及び音声を伝送するマルチ編成放送が可能となる。また、番組の映像やその音声とともに、その番組に関する電子番組ガイド情報（以下、ＥＰＧ；Electriacal Program Guide情報という）や天気予報情報、ニュース情報、野球やサッカーの試合経過情報等の各種マルチメディア情報を伝送することができる。
【０００４】
デジタル放送受信装置では、番組映像の放送信号とともに受信されたマルチメディア情報を番組映像が表示されたテレビ画面上の一部に表示させたり、指示に応じて番組映像画面とマルチメディア情報画面とを切り換えて表示させたりすることが一般的である。しかしながら、これでは番組映像の表示領域が小さくなって見にくくなったり、番組映像が中断されてしまうといった問題や、マルチメディア情報がテキストデータであった場合には視聴者から離れたテレビ画面上に表示されるため、マルチメディア情報のテキスト文字が見えにくくなってしまうといった問題があった。
【０００５】
近年では、このような問題を解消するために、受信されたＥＰＧ情報をデジタル放送受信装置のリモート操作部（以下、リモコンという）側に設けられた表示画面上に表示させる方法（例えば、特許文献１参照）や、マルチメディア情報のタイトルだけをリモコンの表画面上に表示させる方法（例えば、特許文献２参照）が提案されている。
【特許文献１】特開平１０−２７１３５９号公報
【特許文献２】特開２００２−１０１００号公報
【発明の開示】
【発明が解決しようとする課題】
【０００６】
しかしながら、上記従来技術では、受信された放送信号に含まれるマルチメディア情報を視聴者が見やすいように表示させることはできるが、電子メールやウェブページ等、ネットワークを介して取得される各種情報を見やすく表示できるものではなかった。
【０００７】
本発明の課題は、ネットワーク通信により取得される情報を視聴者が見やすいように表示することである。
【課題を解決するための手段】
【０００８】
請求項１に記載の発明は、
デジタル放送の放送信号を受信し、当該受信された放送信号に基づいて映像及び音声を再生するテレビ本体部と、前記テレビ本体部をリモート操作するためのリモート操作部とから構成されるデジタル放送受信装置において、
前記テレビ本体部は、
ネットワーク通信を行って情報を取得するネットワーク通信手段と、
前記リモート操作部と情報を送受信するリモート通信手段と、
前記ネットワーク通信手段により取得された情報を前記リモート通信手段を介してリモート操作部に送信させ、当該情報を前記リモート操作部が備える表示手段に表示させる制御手段と、を備え、
前記リモート操作部は、
前記テレビ本体部と情報を送受信するリモート通信手段と、
前記リモート通信手段を介してテレビ本体部から受信された情報を表示する表示手段と、を備えることを特徴とする。
【発明の効果】
【０００９】
請求項１に記載の発明によれば、ネットワーク通信により取得された情報をリモート操作部の表示手段に表示させるので、視聴者から離れたテレビ本体部ではなく、視聴者の手元にあるリモート操作部に情報を表示することにより、情報の視認性が向上し、視聴者は容易に情報を確認することができる。また、取得された情報をテレビ本体部に表示させる必要がないので、情報をテレビ本体部側に表示させることにより放送映像の表示領域が小さくなったり、放送映像が中断されるといった問題を解消することができる。
【００１０】
請求項２に記載の発明によれば、ネットワーク通信により電子メール情報を取得し、当該電子メールのテキストデータをリモート操作部に表示させるので、視聴者は手元のリモート操作部により電子メールのテキスト文字を確認することができ、テキスト文字の視認性が向上する。
【００１１】
請求項３に記載の発明によれば、電子メールに画像ファイル又は音ファイルの添付ファイルが有る場合、当該画像ファイルの画像表示及び音ファイルの音出力はテレビ本体部の表示手段又は音出力手段により行うので、添付ファイルの画像や音声、音楽等はテレビ本体部側で視聴することができる。
【００１２】
請求項４に記載の発明によれば、ネットワーク通信によりウェブページ情報を取得し、当該ウェブページに含まれるテキストデータをリモート操作部に表示させるので、視聴者は手元のリモート操作部によりウェブページのテキスト文字を確認することができ、テキスト文字の視認性が向上する。
【００１３】
請求項５に記載の発明によれば、ウェブページに含まれる画像ファイルの画像表示又は音ファイルの音出力はテレビ本体部の表示手段又は音出力手段により行うので、ウェブページに含まれる画像や音声、音楽等はテレビ本体部側で視聴することができる。
【発明を実施するための最良の形態】
【００１４】
本実施の形態では、放送信号に含まれるＥＰＧ情報を取得するとともに、通信ネットワークを介してウェブページ（以下、Ｗｅｂページという）、電子メールを取得し、取得されたＥＰＧ情報、電子メール及びＷｅｂページの各情報のテキストデータをリモコンに設けられた表示ディスプレイ上に表示するデジタル放送受信装置の例を説明する。以下の説明では、地上波デジタル放送の放送形態の場合を説明するが、ＢＳデジタル放送、ＣＳデジタル放送等の他の放送形態であっても本発明を適用可能である。
【００１５】
まず、構成を説明する。
図１に、本実施の形態におけるデジタル放送受信装置１の外観を示す。
図１に示すように、デジタル放送受信装置１は、放送映像及び音声を再生するテレビ本体部１０と、そのリモート操作部であるリモコン５０とを備えて構成される。
【００１６】
テレビ本体部１０は、放送局から地上波デジタル放送の放送信号を受信し、当該放送信号に基づいて映像及び音声を再生しテレビジョン放映を行うものである。放送信号により伝送されるデータには、図２に示すように、映像データ、その音声データ及びマルチメディア情報のデータが含まれる。マルチメディア情報とは、ＥＰＧ情報、放送番組に関するＷｅｂページのＵＲＬ情報、サービス情報（天気予報情報、ニュース情報、野球試合のダイジェスト情報等）等の各種情報をいう。
【００１７】
テレビ本体部１０の前面には電源のＯＮ／ＯＦＦキーｋ１、表示ディスプレイｄ１、スピーカ１５、リモコン５０から送信された操作信号を赤外線通信により受信する赤外線通信部１８が設けられている。
【００１８】
リモコン５０は、テレビ本体部１０をリモート操作するためのリモート操作部であり、テレビ本体部１０と赤外線通信を行う赤外線通信部５４、表示ディスプレイｄ２、視聴するチャンネルを指定するためのチャンネルキーｋ２、マルチメディア情報の表示を指示するためのＤａｔａキーｋ３、電子メールの表示を指示するためのＭａｉｌキーｋ４、Ｗｅｂページの表示を指示するためのＷｅｂキーｋ５、カーソルキーｋ６を備えて構成される。リモコン５０は、押下されたキーに対応する操作信号を赤外線通信によりテレビ本体部１０に送信する。
【００１９】
以下、テレビ本体部１０、リモコン５０の各部の内部構成について説明する。
図３に、テレビ本体部１０の内部構成を示す。
図３に示すように、テレビ本体部１０は、アンテナ１１ａを有するデジタル放送受信部１１、画像処理部１２、音声処理部１３、表示部１４、スピーカ１５、制御部１６、メモリ１７、赤外線通信部１８、ネットワーク通信部１９を備えて構成される。
【００２０】
デジタル放送受信部１１は、アンテナ１１ａを介して受信された放送信号のうち、指定されたチャンネルに対応する放送信号を抽出し、当該抽出された放送信号に対してＯＦＤＭ（Orthogonal Frequency Division Multiplexing）方式の復調を行う。すなわち、放送信号の変調方式に対応して、ＤＱＰＳＫ（Differential Quadrature Phase Shift Keying）、ＱＰＳＫ（Quadrature Phase Shift Keying）、１６ＱＡＭ（Quadracture Amplitude Modulation）、６４ＱＡＭの４種類の方式による復調を選択的に行い、復調された放送信号から画像信号と音声信号を分離して、画像信号は画像処理部１２へ、音声信号は音声処理部１３へ出力する。また、放送信号にマルチメディア情報が含まれる場合は、当該マルチメディア情報の信号を分離して図示しないデータ処理部に出力する。マルチメディア情報の信号は、データ処理部においてＭＰＥＧ-２方式により復号化された後、制御部１６に出力される。
【００２１】
画像処理部１２は、デジタル放送受信部１１から入力された画像信号をＭＰＥＧ-２方式に従って復号化し、映像データ（動画像データ）を生成する。次いで、生成された画像データに各種画像処理を施した後、当該画像データを表示部１４に出力する。表示部１４は、図１に示す表示ディスプレイ１４ａを備えて構成される表示手段であり、当該表示ディスプレイ１４ａ上に映像データを表示する。
【００２２】
音声処理部１３は、デジタル放送受信部１１から入力された音声信号をＭＰＥＧ-２方式に従って復号化し、音声データを生成する。次いで、生成された音声データに各種データ処理を施した後、当該音声データをアナログ変換し、スピーカ１５に出力する。スピーカ１５は、音声処理部１３から入力されたアナログ音声信号に基づいて音声出力を行う音出力手段である。
【００２３】
制御部１６は、ＣＰＵ（Central Processing Unit）、ＲＡＭ（Random Access Memory）等から構成され、メモリ１７に格納された各プログラムをＲＡＭに展開し、当該プログラムに従って、デジタル放送受信装置１０の各部を統括的に制御する制御手段である。
【００２４】
制御部１６は、本発明に係る情報表示処理プログラムをメモリ１７から読み出して、当該プログラムとの協働により、情報表示処理（図６参照）を統括的に制御する制御手段である。
情報表示処理では、リモコン５０のチャンネルキーｋ２により指定されたチャンネルの映像及び音声の再生を制御する。このとき、放送信号からＥＰＧ情報を含むマルチメディア情報が取得された場合、そのデータをメモリ１７に格納する。また、放送信号からＵＲＬ情報が取得された場合にはネットワーク通信部１９を介して当該ＵＲＬにより指定されたＷｅｂサイトへアクセスしてＷｅｂページを取得し、そのデータをメモリ１７に格納する。さらに、一定時間毎にメールサーバにアクセスして新着メールの確認を行い、新着メールが有ればネットワーク通信部１９を介して新着メールを取得しそのデータをメモリ１７に格納する。
【００２５】
次いで、リモコン５０からＤａｔａキーｋ３に対応する操作信号が入力されると、メモリ１７からＥＰＧ情報のデータを読み出し、赤外線通信部１８を介してリモコン５０に送信させる。また、Ｍａｉｌキーｋ４に対応する操作信号が入力されると、メモリ１７から電子メールのデータを読み出してリモコン５０に送信させ、Ｗｅｂキーｋ５に対応する操作信号が入力されると、メモリ１７に格納されたＷｅｂページのデータからテキストデータを抽出し、当該テキストデータをリモコン５０に送信させる。
【００２６】
さらに、電子メールに画像ファイルや音ファイル（音楽、音声等を含むファイル）等の添付ファイルが有る場合、リモコン５０を介して入力される添付ファイル実行指示に応じて、画像ファイルの画像データを表示ディスプレイｄ１に表示させる、或いはスピーカ１５により音ファイルの音データ再生を行わせる。また、Ｗｅｂページに画像ファイル、音ファイル等が含まれる場合も同様に表示ディスプレイｄ１、スピーカ１５によりテレビ本体部１０側でファイルを実行する。
【００２７】
メモリ１７は、放送制御プログラムの他、情報表示処理プログラム及び各プログラムで処理されたデータ等を記憶する。また、メモリ１７は、図４に示すように、ＥＰＧ情報のデータを格納するメモリ領域１７１、電子メールデータ及びその添付ファイルのデータを格納するメモリ領域１７２、Ｗｅｂページデータを格納するメモリ領域１７３を有している。
【００２８】
赤外線通信部１８は、リモコン５０との間で双方向の赤外線通信を行うための受光部及び発光部を含む赤外線通信インターフェイスを備えて構成されるリモート通信手段である。赤外線通信部１８は、リモコン５０と赤外線通信を行って、チャンネルの指定指示、ＥＰＧ情報、電子メール又はＷｅｂページの表示指示等、リモコン５０が有する各操作キーに対応する操作信号を受信するとともに、ＥＰＧ情報、電子メール、Ｗｅｂページのテキストデータをリモコン５０に送信する。
【００２９】
ネットワーク通信部１９は、ネットワークインターフェイスカードやモデム等の通信用インターフェイスにより構成されるネットワーク通信手段であり、通信ネットワーク上の外部機器と各種情報の送受信を行う。例えば、ネットワーク通信部１９は、メールサーバに接続して電子メールの送受信を行うとともに、ＵＲＬにより指定されたＷｅｂサイトにアクセスしてそのＷｅｂページのデータを受信する。
【００３０】
次に、図５を参照して、リモコン５０の内部構成について説明する。
図５に示すように、リモコン５０は、制御部５１、メモリ５２、キー操作部５３、赤外線通信部５４、表示部５５を備えて構成される。
【００３１】
制御部５１は、ＣＰＵ、ＲＡＭ等を備えて構成され、メモリ５２に格納される各種プログラムとの協働によりリモコン５０の各部を統括的に制御する。
また、制御部５１は、赤外線通信部５４を介してテレビ本体部１０からＥＰＧ情報、電子メール又はＷｅｂページのテキストデータが入力されると、当該テキストデータを表示部５５に出力し、表示ディスプレイｄ２上に表示させる。
【００３２】
メモリ５２は、各種プログラム及び各プログラムで処理されたデータ等を格納する。また、メモリ５２は、テレビ本体部１０のメモリ１７と同様に、ＥＧＰ情報、電子メール、Ｗｅｂページの各種データを格納するためのメモリ領域を有している。
【００３３】
キー操作部５３は、図１に示す各種操作キーｋ２〜ｋ６を備え、押下された各操作キーｋ２〜ｋ６に対応する操作信号を生成して赤外線通信部５４に出力する。
【００３４】
赤外線通信部５４は、テレビ本体部１０との間で双方向の赤外線通信を行なうための受光部及び発光部を含む赤外線通信インターフェイスを備えて構成されるリモート通信手段であり、キー操作部５３の押下による操作信号や制御部５１により生成された制御信号を赤外線通信によりテレビ本体部１０に送信する。
【００３５】
表示部５５は、図１に示す表示ディスプレイｄ２を備えて構成される表示手段であり、各種操作画面を表示するとともに、制御部５１の指示に従ってＥＰＧ情報、電子メール、Ｗｅｂページのテキストデータを表示ディスプレイｄ２上に表示する。
【００３６】
次に、本実施の形態における動作を説明する。
図６は、テレビ本体部１０により実行される情報表示処理を説明するフローチャートである。
図６に示す情報表示処理では、まず電源のＯＮ／ＯＦＦキーｋ１が押下され、電源ＯＮが指示されると、テレビ本体部１０の電源がＯＮにされて（ステップＳ１）、ステップＳ２の指定チャンネル情報表示処理に移行する。
【００３７】
図７を参照して、指定チャンネル情報表示処理について説明する。
図７に示す指定チャンネル情報表示処理では、テレビ本体部１０において、アンテナ１１を介して受信される放送信号のうち、リモコン５０のチャンネルキーｋ２により指定されたチャンネルに対応する放送信号が抽出され、抽出された放送信号から音声データ、映像データ及びマルチメディア情報が取得される。そして、取得された音声データに基づいてスピーカ１５により音声出力が行われるとともに、映像データが表示部１４に表示され、映像再生が行われる（ステップＳ２１）。
【００３８】
次いで、取得されたマルチメディア情報にＵＲＬ情報が含まれるか否かが判別される（ステップＳ２２）。ＵＲＬ情報が含まれる場合は（ステップＳ２２；Ｙ）、ネットワーク通信部１９を介して当該ＵＲＬにより指定されたＷｅｂサイトにアクセスされ、Ｗｅｂページデータが取得される（ステップＳ２３）。次いで、表示部１４に表示された映像画面上にＷｅｂページが取得された旨を示すメッセージ又はマーク等が表示され、Ｗｅｂページが取得されたことが報知されると（ステップＳ２４）、次の処理、つまり図６に示すステップＳ３の処理に移行する。
【００３９】
一方、マルチメディア情報にＵＲＬ情報が含まれていない場合（ステップＳ２２；Ｎ）、マルチメディア情報にＥＰＧ情報が含まれるか否かが判別される（ステップＳ２５）。ＥＰＧ情報が含まれていない場合（ステップＳ２５；Ｎ）、ステップＳ２１の処理に戻って映像及び音声再生が続行され、ＥＰＧ情報が含まれている場合（ステップＳ２５；Ｙ）、当該ＥＰＧ情報のデータがメモリ１７に格納され、蓄積される（ステップＳ２６）。データ格納が終了すると、次の処理、つまり図６に示すステップＳ３の処理に移行する。
【００４０】
図６に示すステップＳ３では、予め設定された電子メールの取得時間に達したか否かが判別される。電子メールの取得時間に達しない場合（ステップＳ３；Ｎ）、後述するステップＳ７の処理に移行し、電子メールの取得時間に達した場合（ステップＳ３；Ｙ）、ネットワーク通信部１９を介してメールサーバにアクセスされ、新着メールが受信されているか否かの問い合わせが行われる（ステップＳ４）。
【００４１】
次いで、メールサーバからの応答に基づいて新着メールの有無が判別され（ステップＳ５）、新着メールが受信されていなかった場合（ステップＳ５；Ｎ）、ステップＳ７の処理に移行し、新着メールが受信されていた場合（ステップＳ５；Ｙ）、表示部１４に表示された映像画面上に新着メールが受信された旨を示すメッセージ又はマーク等が表示され、メール着信が報知されて（ステップＳ６）、ステップＳ７の処理に移行する。
【００４２】
ステップＳ７では、赤外線通信部１８を介してリモコン５０からの操作信号が受信され、リモコン５０を介して操作指示されたか否かが判別される。リモコン５０を介して操作指示された場合は（ステップＳ７；Ｙ）、ステップＳ８のリモコン処理に移行し、リモコン５０を介して操作指示されていない場合は（ステップＳ８；Ｎ）、後述するステップＳ９の処理に移行する。
【００４３】
まず、図８を参照してリモコン処理について説明する。
図８に示すリモコン処理では、まず入力された操作信号の信号解析が行われ、リモコン５０の各操作キーｋ２〜ｋ６のどの操作キーによる操作信号が入力されたかが判断される（ステップＳ８１）。
【００４４】
入力された操作信号がチャンネルキーｋ２の押下による操作信号である場合（ステップＳ８１；チャンネルキー）、デジタル放送受信部１１において、受信される放送信号が、チャンネルキーｋ２により新たに指定されたチャンネルに対応する放送信号に切り換えられる。そして、切り換えられた放送信号から抽出された映像データ及び音声データの再生が行われ（ステップＳ８２）、次の処理、つまり図６に示すステップＳ９の処理に移行する。
【００４５】
また、入力された操作信号がＤａｔａキーｋ３の押下による操作信号である場合（ステップＳ８１；Ｄａｔａキー）、メモリ１７のＥＰＧ情報のメモリ領域１７１に蓄積されたＥＰＧ情報のテキストデータが赤外線通信部１８を介してリモコン５０に送信される（ステップＳ８３）。
【００４６】
リモコン５０では、赤外線通信部５４を介してテレビ本体部１０から受信されたＥＰＧ情報のテキストデータが表示ディスプレイｄ２上に表示される。
図９（ａ）に、その表示例を示す。
図９（ａ）に示すように、表示ディスプレイｄ２では、番組情報として番組名、放送時間、内容、出演者等のテキストが表示される。
【００４７】
一方、入力された操作信号がＭａｉｌキーｋ４の押下による操作信号である場合（ステップＳ８１；Ｍａｉｌキー）、メモリ１７の電子メールのメモリ領域１７２に蓄積された電子メールのテキストデータが読み出され、当該テキストデータが赤外線通信部１８を介してリモコン５０に送信される（ステップＳ８４）。
【００４８】
リモコン５０では、赤外線通信部５４を介してテレビ本体部１０から受信された電子メールのテキストデータに基づいて、その電子メールの受信一覧が表示ディスプレイｄ２上に表示される。
図９（ｂ）に、その表示例を示す。
図９（ｂ）に示すように、表示ディスプレイｄ２では、受信一覧として電子メールの発信者、件名、受信日時等のテキストが表示される。そして、この受信一覧の中からユーザにより閲覧対象の電子メールが選択されると、当該選択された電子メールのテキストが表示ディスプレイｄ２上に表示される。
【００４９】
次いで、表示された電子メールに添付ファイルが添付されており、ユーザによりリモコン５０を介して添付ファイルの実行が指示された場合、テレビ本体部１０では、指示に応じて添付ファイルの画像データ又はテキストデータがテレビ本体部１０の表示部１４に表示され、音楽データや音声データ等が添付されていた場合はスピーカ１５により音出力される（ステップＳ８５）。次いで、次の処理、つまり図６に示すステップＳ９の処理に移行する。
【００５０】
また、入力された操作信号がＷｅｂキーｋ５の押下による操作信号である場合（ステップＳ８１；Ｗｅｂキー）、メモリ１７のＷｅｂページのメモリ領域１７３に蓄積されたＷｅｂページのデータからテキストデータが抽出され、当該テキストデータがリモコン５０に送信される（ステップＳ８６）。
【００５１】
リモコン５０では、赤外線通信部５４を介してテレビ本体部１０から受信されたＷｅｂページのテキストデータが表示ディスプレイｄ２上に表示される。
図９（ｃ）に、その表示例を示す。
図９（ｃ）に示すように、表示ディスプレイｄ２では、例えばお店の案内に係るＷｅｂページ中に含まれるお店の場所、営業時間等のテキストが表示される。なお、Ｗｅｂページにはお店の場所を示す地図の画像ファイルが含まれており、地図の項目にその画像が表示されるはずであったが、リモコン５０にはテキストデータのみが送信されているので、表示ディスプレイｄ２では地図の項目には何も表示されないこととなる。ユーザは、このようにリモコン５０で非表示となっている画像等を確認したいときは、Ｗｅｂページ全体の表示をリモコン５０を介して指示する。
【００５２】
テレビ本体部では、リモコン５０の表示ディスプレイｄ２に表示されたＷｅｂページのテキストを確認したユーザから、Ｗｅｂページ全体の表示が指示された場合、当該指示に応じてＷｅｂページのメモリ領域１７３に格納されたＷｅｂページのテキストデータ、画像データがテレビ本体部１０の表示ディスプレイｄ１に表示される（ステップＳ８７）。また、Ｗｅｂページデータに音データが含まれる場合はスピーカ１５により音再生が行われる。Ｗｅｂページが表示されると、次の処理、つまり図６に示すステップＳ９の処理に移行する。
【００５３】
図６に示すステップＳ９では、ＯＮ／ＯＦＦキーｋ１の押下により、電源ＯＦＦが指示されたか否かが判別される。電源ＯＦＦが指示されていない場合（ステップＳ９；Ｎ）、ステップＳ２の処理に移行し、電源ＯＦＦが指示された場合（ステップＳ９；Ｙ）、テレビ本体部１０の電源のＯＦＦ処理が実行され（ステップＳ１０）、本処理を終了する。
【００５４】
以上のように、本実施形態によれば、ＥＰＧ情報に加えて電子メールやＷｅｂページの各情報のデータが通信ネットワーク上の外部機器から取得され、そのテキストデータがリモコン５０の表示ディスプレイｄ２に表示されるので、視聴者は手近にあるリモコンでテキストを確認することができ、視聴者から離れたテレビ本体部１０の表示ディスプレイｄ１にテキストデータが表示された場合よりも、視認性が向上する。また、ＥＰＧ情報、電子メール、Ｗｅｂページのテキストデータをテレビ本体部１０側に表示する必要が無いため、テキスト表示のためにテレビ映像の表示領域を小さくしたり、テレビ映像を中断したりすることなく、ＥＰＧ情報、電子メール、Ｗｅｂページの各情報を視聴者に提供することができる。
【００５５】
また、電子メールに画像ファイルや音データ等の添付ファイルが有る場合や、Ｗｅｂページに画像ファイル、音ファイル等が含まれている場合には、当該画像ファイルや音ファイルはリモコン５０ではなく、テレビ本体部１０側で実行されて画像再生又は音再生が行われるので、画像や音声はテレビ本体部側の大画面で視聴することができる。
【００５６】
なお、本実施形態における記述内容は、本発明を適用したデジタル放送受信装置１の好適な一例であり、これに限定されるものではない。
【００５７】
例えば、上述した説明では、Ｄａｔａキーｋ３、Ｍａｉｌキーｋ４又はＷｅｂキーｋ５が押下されたときに、テレビ本体部１０からリモコン５０にＥＰＧ情報、電子メール又はＷｅｂページのテキストデータを送信し、リモコン５０の表示ディスプレイｄ２に表示することとしたが、テレビ本体部１０においてこれら各情報が取得されるとすぐにそのテキストデータをリモコン５０に送信して、自動的に表示ディスプレイｄ２に表示させることとしてもよい。
【００５８】
その他、本実施形態におけるデジタル放送受信装置１の細部構成及び細部動作に関しても、本発明の趣旨を逸脱することのない範囲で適宜変更可能である。
【図面の簡単な説明】
【００５９】
【図１】本発明を適用した実施形態におけるデジタル放送受信装置１を構成するテレビ本体部１０、リモコン５０の外観を示す図である。
【図２】放送信号により伝送されるデータのデータ構成を示す図である。
【図３】テレビ本体部１０の内部構成を示す図である。
【図４】メモリ１７のメモリ構成を示す図である。
【図５】リモコン５０の内部構成を示す図である。
【図６】テレビ本体部１０により実行される情報表示処理を説明するフローチャートである。
【図７】情報表示処理中に実行される指定チャンネル情報表示処理を説明するフローチャートである。
【図８】情報表示処理中に実行されるリモコン処理を説明するフローチャートである。
【図９】リモコン処理時にリモコン５０の表示ディスプレイｄ２に表示される表示画面例を示す図であり、（ａ）はＥＰＧ情報が表示された画面の図、（ｂ）は電子メールの受信一覧が表示された画面の図、（ｃ）はＷｅｂページのテキストが表示された画面の図である。
【符号の説明】
【００６０】
１    デジタル放送受信装置
１０    テレビ本体部
１１    デジタル放送受信部
１２    画像処理部
１３    音声処理部
１４    表示部
１５    スピーカ
１６    制御部
１７    メモリ
１８    赤外線通信部
１９    ネットワーク通信部
５０    リモコン
５１    制御部
５２    メモリ
５３    キー操作部
ｋ２    チャンネルキー
ｋ３    Ｄａｔａキー
ｋ４    Ｍａｉｌ
ｋ５    Ｗｅｂキー
５４    赤外線通信部
５５    表示部
【図１】
2005198080.tif 000003
【図２】
2005198080.tif 000004
【図３】
2005198080.tif 000005
【図４】
2005198080.tif 000006
【図５】
2005198080.tif 000007
【図６】
2005198080.tif 000008
【図７】
2005198080.tif 000009
【図８】
2005198080.tif 000010
【図９】
2005198080.tif 000011